(57)【要約】【課題】  同一キーで多くの装置、ドアなどの同一キーシリンダーが存在する場合に、そのキーを変換し、他の同一キー所有者が装置、ドア等を解錠することができないようにすることを目的とする。【解決手段】  本来装着されている解錠キーをロック可能な回転する装置で回すことで、キーパターンを変換し、装置固有のキーシステムは変更無しに新しいキーにすることで装置固有のキーを使用できないようにする。【選択図】図１
2007278053.tif 000002
【特許請求の範囲】
【請求項１】
変換したい装置に付いているキーと同時に回転する、他のキーとキーシリンダーからなる装置で回転させキーを変換する施錠装置。
【請求項２】
変換したいキーの搭載装置を加工、改造等変更することなく、鍵の種類を変更することができることを特徴とする請求項１記載の施錠装置。
【請求項３】
変換したいキーの搭載している装置に一時的に本装置を取り付け、キーを変換しセキュリティを確保した後、変換したいキーの搭載している装置を修復することなく本装置を外すだけで装着前の状態に即座に戻せることを特長とする、請求項１、請求項２記載の施錠装置。
【発明の詳細な説明】
【技術分野】
【０００１】  本発明は、施錠装置と別搭載の鍵の接続構造に関する。
【背景技術】
【０００２】回胴式遊技機には収益をコントロールするための出玉率を変更する機能が搭載されているが、これはキーを回し特定の操作を行うことで設定変更及び設定変更及び設定確認を行うが、鍵の種類は同じ型式であれば同じキーを使用している。また、同一メーカであれば別型式回胴式遊技機においても同一キーを使用している可能性が高い。よって個人でも回胴式遊技機を購入する等の手段でそのキーを入手するのは比較的簡単である事から誰でも設定変更及び設定確認ができてしまう。したがって筐体を解錠することができる店員は設定変更及び設定確認を簡単に行うことが出来、設定情報を客側にすることで高設定台を客が確保することが可能になり不正を行うことが可能になってしまう。【０００３】  設定キーを変更すればこの問題は解決するが、基本的に回胴式遊技機には認定後改造することは取り決めで許されてない。したがって不正防止や管理簡素化の目的のために設定キーを変えることができない。【０００４】  たとえば、特許文献１には従来のピッキング用具では解錠不可能である、防犯性の高い鍵とシリンダー錠とロックシステムを提供する構造の鍵について記載されているが、このような鍵に変更するにはキーシリンダーそのものを取り替えなくてはならない。
【特許文献１】特許第３５７３３４５号
【０００５】  特許文献２にはホール管理者以外に遊技機の扉が開錠されないような安価で組立容易なる１体型でコンパクトな不正開錠防止機構で不正解除を確実に防止するパチンコ遊技機（パチスロも含む）用施錠機構について記載されている。
【特許文献２】特開２００５−１４４０７１号
【発明の開示】
【発明が解決しようとする課題】
【０００６】  回胴式遊技機の構造上キーシリンダーは本体装置に取り付けられているためキーシリンダーを交換することができない。【０００７】  さらに、ネジ止め等の装置付加も改造等に見なされるため別の装置を取り付けることができなかった。
【課題を解決するための手段】
【０００８】  本発明は上記目的を達成するため次の構成を備える。
装置固有の設定キーを回す為に切り込みのある鍵保持機構に接続されているハンドルを回すことで装置固有のキーが回され、本来の設定キーシリンダーを変更することなくキーを変更できる。装置固有の設定キーを回すための装置は、ハンドルを回転する為の機構とそのハンドルを施錠するめの施錠機構から構成され、設定キーを回す操作をしない場合は施錠された状態になっている。取り付けは、両面テープ等を使い取り付け、ネジ止め等は行わないため強固な設置はされていないが、本来付いている設定キーを回すためには本装置を外す必要がある。したがって本装置を外したか判るための識別シールなどを用いてその判別を行うため、強固に固着する必要はない。
【発明の効果】
【０００９】  本発明に係る構造によれば以下のような優れた効果を発揮することができる。回胴式遊技機の設定キーは本装置を取り付けることにより回胴式遊技機は同一でも他店と異なる設定キーになり、一般流通している回胴式遊技機の設定キーを使って設定変更及び設定確認することが不可能になる。また機種毎にキーを変えずに同一キーにすることで、設定キーは一種類にすることもできる。この場合どの機種でも同じ設定キーを用いて設定変更及び設定確認ができるため鍵を交換する手間が省け管理が簡単になる。またキーの管理をしておくことで従業員が設定変更及び設定情報の漏洩なとの不正行為をすることが容易では無くなる。なお、本発明は上記実施例に限定されず、どのような施錠装置の場合でもドアや装置に組み込まれている施錠装置を変更することなく別の鍵に変更するために使用することができる。この場合、本装置は強固なネジ止め、接着、カシメなどを行うことでセキュリティを高める用途にも使用できる等、本発明を逸脱しない範囲において改変も可能である。
【発明を実施するための最良の形態】
【００１０】  以下、本発明の好適な実施の形態を添付図面に基づいて詳細に説明する。
図１は本発明に係る機構のハンドルを解錠状態にした時の構造を記載した側面図である。図２は図１の動作状態を示す正面図である。図３はハンドルを回転しないように施錠した場合の側面図である。図４は図３の下面図である。図５は設定キーを回した場合の鍵保持機構を示す側面図である。図６は本装置の取り付け構成を示す側面断面図である。図７は図２の背面図である。【００１１】  図１において、設定キー１３２は設定キーシリンダー１３１に取り付けられていて、設定キー１３２は鍵保持機構１０４にある、鍵保持溝１０３に挟み込まれている。鍵保持機構１０３はハンドル１０１に固定されていて、ハンドル１０１はフランジ１０２から外れないような構造で回転する構造となっている。ハンドル１０１にはロックキーシリンダー１２１が取り付けられていて、フランジ１０２に取り付けられているロックキーロック機構１２３にロック羽根１２４がかみ合う構造となっていて、ロックキー１２２を用いてハンドル１０１が回転しないように固定することができる。回胴式遊技機本体１３０に取り付け固定するためにはフランジ１０２の固定部分１０６の面を使い固定する。フランジ１０２は本図では円形となっているが、本図のようなフランジ形状でも良いし、フランジを内側に折り曲げた形状でも良い。また四角や多角形など、どのような形状構造でも回胴式遊技機本体に固定できる構造であればよい。固定方法は回胴式遊技機本体に加工を施さない場合は両面テープや接着などが望ましいが、どのような方法でもかまわない。また本体の加工が許される場合はネジ止め等行える構造でも良い。【００１２】  図２は図１の動作状態を示す正面図である。回胴式遊技機本体１３０に本発明品を取り付け、設定キー１３２を回転させるためにハンドル１０１を設定キー通常位置３０１に示すＡから設定キー設定中位置３０２に示すＢに回すと本来の設定キーの機能を使うことができる。設定キー１３２を回転させる場合、ハンドル１０１を回転させない為のロック機構を解除する為にロックキー１２２を使い、ハンドル１０１が回転するように解錠する。【００１３】  図３は本発明品のハンドル１０１をロックした状態を示す図である。ロックキー１２２はロックキーシリンダー１２１に装着されている。ロックキーシリンダー１２１にはハンドル１０１を固定するためのロックキーロック機構１２３に引っかけロックするためのロック羽根１２４が取り付けられていて、ロックキー１２２の回転により、ロック羽根１２４がロックキーロック機構１２３に引っかかったり外れたりするような構造となっている。ハンドル１０１を回転しないようにする為の機構は、図３による構造のものでも良いし、他の構造でもハンドルが容易に回転できないようにできればどのような方法でも良い。図４は図３の下面図である。図５は図４のロックキーシリンダー１２１およびロックキーロック機構の透視部分を省略した図面である。図４と図５では設定キー１３２が鍵保持機構１０４と鍵保持溝１０３に装着されている状態を示している。鍵保持機構１０４は設定キー１３２を回すことができ、脱落等が起こらない構造であればどのような構造でもかまわない。【００１４】図６は本装置の取り付け構成を示す側面断面図である。回胴式遊技機本体１３０に取り付けられているキーシリンダー１３１にあらかじめ設定キー１３２を装着しておく。本発明品の鍵保持機構１０４にある鍵保持溝１０３に挟み込むように設定キー１３２を挿入する。設定キー１３２は最初から付いているオリジナルキーを使用しても良いし、新たに製作した予備キーを使っても良い。設定キー１３２と鍵保持機構１０４の勘合は鍵保持溝１０３によってなされているが、勘合部分の構造はどのような構造であってもかまわない。【００１５】  図７は本装置背面図である。フランジ１０２には設定キー１３２を貫通させるための鍵貫通孔１０７が開けられている。鍵貫通孔１０７の大きさや形状は設定キー１３２が貫通し、回転させることが出来、図６回胴式遊技機本体１３０の凹凸および図６キーシリンダー１３１の露出部分を逃げる構造であれば良く、どのような形状や構造でもかまわない。ハンドル１０１とフランジ１０２の勘合部分を示す回転フランジ１０５の構造はハンドル１０１がスムーズに回転できて、フランジ１０２とハンドル１０１が容易に外すことができない構造であればよく、どのような構造でも良い。
【図面の簡単な説明】
【００１６】
【図１】本発明に係る機構のハンドルを解錠状態にした時の構造を記載した側面図である。
【図２】図１の動作状態を示す正面図である。
【図３】ハンドルを回転しないように施錠した場合の側面図である。
【図４】図３の下面図である。
【図５】設定キーを回し他場合の鍵保持機構を示す側面図である。
【図６】本装置の取り付け構成を示す側面断面図である。
【図７】図２の背面図である。
【符号の説明】
【００１７】１０１  ハンドル
１０２  フランジ
１０３  鍵保持溝
１０４  鍵保持機構
１０５  回転フランジ
１０６  固定部分
１０７  鍵貫通孔
１２１  ロックキーシリンダー
１２２  ロックキー
１２３  ロックキーロック機構
１２４  ロック羽根
１３０  回胴式遊技機本体
１３１  設定キーシリンダー
１３２  設定キー
３０１  設定キー通常位置
３０２  設定キー設定中位置
３０３  回転方向
【図１】
2007278053.tif 000003
【図２】
2007278053.tif 000004
【図３】
2007278053.tif 000005
【図４】
2007278053.tif 000006
【図５】
2007278053.tif 000007
【図６】
2007278053.tif 000008
【図７】
2007278053.tif 000009